(57)【要約】      （修正有）【課題】両手が塞がらずに遠くのものを拡大して見ることができるうえ、必要な時に双眼鏡を跳ね上げることができる眼鏡型双眼鏡を提供する。【解決手段】左右一対のテンプル４と、テンプルが連結されたブローバー３と、ブローバー中央部でヒンジ連結したフロントパネル２とを含んで成る眼鏡型双眼鏡において、フロントパネルがブローバー中央部を支点に上下に跳ね上げ可能とし、フロントパネルには、薄板状のプレート部２ａと、左右一対の接眼レンズを内包する接眼部２ｂと、対物レンズを内包する左右一対の鏡筒部２ｃと、それぞれの鏡筒部の根元に配置され鏡筒部の位置を前後に調整するための調整つまみ２ｄとを有するようにした。【選択図】図１
0003226208.tif 000002
【実用新案登録請求の範囲】
【請求項１】
左右一対のテンプルと、前記テンプルが連結されたブローバーと、前記ブローバー中央部でヒンジ連結されるフロントパネルとを含んで成る双眼鏡であって、
前記フロントパネルがブローバー中央部を支点に上下に跳ね上げ可能である一方、
フロントパネルには、薄板状のプレート部と、左右一対の接眼レンズを内包する接眼部と、対物レンズを内包する左右一対の鏡筒部と、それぞれの鏡筒部の根元に配置され鏡筒部の位置を前後に調整するための調整つまみとを有することを特徴とする、眼鏡型双眼鏡。
【請求項２】
前記フロントパネルと前記ブローバーとは、フロントパネルの中央部に溝部と開口部を設けて一体に形成されたヒンジ部が、ブローバーの軸部に着脱可能にヒンジ連結されていることを特徴とする、請求項１に記載の眼鏡型双眼鏡。
【請求項３】
前記テンプルの先端部には磁石が取着され、一方のテンプルに取着した磁石と、他方のテンプルに取着した磁石とが磁着することによって、ブローバーと左右のテンプルとによって一つの閉じたループを形成可能とすることを特徴とする、請求項１または２に記載の眼鏡型双眼鏡。
【考案の詳細な説明】
【技術分野】
【０００１】
本考案は、スポーツ観戦や演劇鑑賞等において、両手が塞がることなく遠くのものを拡大して見るための眼鏡型双眼鏡に関するものである。
【背景技術】
【０００２】
従来から、スポーツや歌舞伎、音楽ライブ等を遠くの席から鑑賞する際に、両手が塞がらずに拡大して見ることのできる眼鏡型の双眼鏡の技術が公開されている（特許文献１参照）。
【０００３】
このような双眼鏡は、テンプルを耳に掛けることで双眼鏡を目の位置に固定しておくことができるため両手が塞がらず、鑑賞しながら拍手等の動作をすることが可能となっている。
【０００４】
しかしこの技術では、望遠が不要な状況においてはわざわざ双眼鏡を外さなければならず、次に望遠が必要となったときには掛け直すのに手間がかかるという問題がった。
【先行技術文献】
【特許文献】
【０００５】
【特許文献１】特開２００９−３１３８１号公報
【考案の概要】
【考案が解決しようとする課題】
【０００６】
本考案は、上記の如き問題に鑑みて為されたものであり、その目的とするところは、両手が塞がらずに遠くのものを拡大して見ることができるうえ、必要な時に双眼鏡を跳ね上げることができる眼鏡型双眼鏡を提供することにある。
【課題を解決するための手段】
【０００７】
本考案者が上記課題を解決するために採用した手段は次のとおりである。
【０００８】
即ち、本考案は、左右一対のテンプルと、前記テンプルが連結されたブローバーと、前記ブローバー中央部でヒンジ連結したフロントパネルとを含んで成る双眼鏡において、前記フロントパネルがブローバー中央部を支点に上下に跳ね上げ可能とした一方、
フロントパネルには、薄板状のプレート部と、左右一対の接眼レンズを内包する接眼部と、対物レンズを内包する左右一対の鏡筒部と、それぞれの鏡筒部の根元に配置され鏡筒部の位置を前後に調整するための調整つまみとを有するようにした点に特徴がある。
【０００９】
また、前記フロントパネルと前記ブローバーとは、フロントパネルの中央部に溝部と開口部を設けて一体に形成したヒンジ部を、ブローバーの軸部に着脱可能にヒンジ連結することもできる。
【００１０】
さらに、前記テンプルの先端部に磁石を取着し、一方のテンプルに取着した磁石と、他方のテンプルに取着した磁石とを磁着させることによって、ブローバーと左右のテンプルとによって一つの閉じたループを形成可能とすることも可能である。
【考案の効果】
【００１１】
本考案では、テンプルを耳にかけ、フロントパネルの接眼部及び対物レンズを通して見ることで、両手が塞がることなく遠方の視認対象物を拡大して見ることができるという効果がある。
【００１２】
また、調整つまみを左右の鏡筒部の根元に配設したことで、調整つまみを操作する際に手や腕が視界を妨げない。
【００１３】
さらに、望遠が不要な状況においては、ブローバー中央部を支点にフロントパネルを跳ね上げることによってすぐに裸眼の状態にすることができ、裸眼の状態と望遠の状態とを瞬時に切り換えることができる。
【００１４】
一方、フロントパネルのヒンジ部をブローバーの軸部に対して押し付け、または引き離すようにすることで、開口部が弾性的に開き、フロントパネルとブローバーを容易に着脱できるため、他のレンズを装着した別のフロントパネルを用いることも可能である。
【００１５】
また、テンプルの先端部に取着した磁石同士を磁着させて、ブローバーと左右のテンプルとによって一つの閉じたループを形成することによって、使用しないときには双眼鏡本体を首に掛けることができ、疲労を軽減することができるという効果もある。
【図面の簡単な説明】
【００１６】
【図１】本考案の実施例１における眼鏡型双眼鏡を表す正面図及び平面図である。
【図２】本考案の実施例１におけるフロントパネルを表す背面図である。
【図３】本考案の実施例１におけるフロントパネルを表す側面図である。
【図４】本考案の実施例１におけるフロントパネルの跳ね上げの前後の状態を表す側面図である。
【図５】本考案の実施例２における眼鏡型双眼鏡を表す平面図である。
【図６】本考案の実施例２における眼鏡型双眼鏡のテンプルを磁着した様子を表す平面図である。
【考案を実施するための形態】
【００１７】
『実施例１』
本考案の実施例１について、図１〜図４に基づいて説明する。なお、本考案はこれらの添付図面に示す態様に限定されるものではない。
【００１８】
本実施例では、図１に示すように、左右一対のテンプル４・４がブローバー３により連結され、そのブローバー３の中央部には、フロントパネル２をヒンジ部2g・2gによってヒンジ連結した構成としている。また、ブローバー３のヒンジ部2g・2gの連結部下方には、左右一対の鼻当部５・５が取着されている。
【００１９】
フロントパネル２には、左右一対の接眼レンズ2e・2e(図２参照)を内包する接眼部2b・2bが、薄板状のプレート部2aの裏面側に左右対称の位置に取着されており、その接眼部2b・2bの同軸上であってプレート部2aを介した反対の位置には、対物レンズ2f・2fを内包する左右一対の鏡筒部2c・2cが取着されている。
【００２０】
この接眼部2b・2bを覗き込むと、接眼レンズ2e・2e及び対物レンズ2f・2fを介して視認対象物が拡大されて見えるようにレンズの度数が調整されている。本実施例では倍率を約３倍としているが、この倍率は適宜変更することができる。
【００２１】
また、それぞれの鏡筒部2c・2cとプレート部2aとの間には、鏡筒部2c・2cの位置を前後に調整するための調整つまみ2d・2dが配設されている。この調整つまみ2d・2dは鏡筒部2c・2cとねじ構造によって取着されており、調整つまみ2d・2dを回動することによって、鏡筒部2c・2cの位置を前後に調整し、ピントの調整をすることが可能となっている。
【００２２】
本実施例では、いずれか一方の調整つまみ2dを回動することで、左右の鏡筒部2c・2cが同時に位置調整されるように構成されているが、左右の調整つまみ2d・2dが対応する鏡筒部2c・2cを個別に位置調整できる構成としても構わない。
【００２３】
プレート部2aの中央部裏面側には、図２に示すように、ブローバー３の軸部3a・3aに対応する位置に２箇所のヒンジ部2g・2gがプレート部2aと一体に突出して形成されている。このヒンジ部2g・2gは、図３に示すように、貫通した断面円形の溝部2h・2hを有し、ヒンジ部2g・2gの先端側には、溝部2h・2hの直径よりもやや狭い開口部2i・2iを有している。
【００２４】
このヒンジ部2g・2gは、溝部2h・2hがブローバー３の中央部に有する軸部3a・3aに枢設されることによってヒンジ連結されている。これによって、図４(a)に示すようにフロントパネル２は、ヒンジ部2g・2gを支点に上方に跳ね上げ可能となっている(図4(b)参照)。
【００２５】
跳ね上げた状態においては、板ばね2jがブローバー３の中央部に適切な反力を与えることで摩擦を生じさせ、跳ね上げたフロントパネル２が容易に下りないようになっている。したがって、望遠が不要な状況においては、フロントパネル２が視界を遮ることが無く、望遠で視認したいときには直ちに下ろして双眼鏡として使用することができる。
【００２６】
ヒンジ連結においては、フロントパネル２のヒンジ部2g・2gをブローバー３の軸部3a・3aに対して押し付け、または引き離すようにすることで、開口部2i・2iが弾性的に開き、フロントパネル２とブローバー３を容易に着脱させることができる。これによって、双眼鏡として用いないときには、他のレンズを装着した別のフロントパネルを用いることもできる。
【００２７】
『実施例２』
次に、本考案の実施例２について、図５、図６に基づいて説明する。なお、本考案はこれらの添付図面に示す態様に限定されるものではない。
【００２８】
本実施例では、図５に示すように、テンプル４・４の先端部に、磁石4a・4aが取着されている。また、テンプル４・４は柔軟性のあるポリカーボネート製であり、テンプル４・４の先端は容易に屈曲可能となっている。なお、フロントパネル２の構成や、ブローバー３の構成は実施例１と同様である。
【００２９】
ここで、本実施例の眼鏡型双眼鏡１は、図６に示すように、一方のテンプル４に取着した磁石4aと、他方のテンプル４に取着した磁石4aとを磁着させることによって、ブローバー３と左右のテンプル４・４とによって一つの閉じたループが形成される。
【００３０】
そして、望遠としては使用せず、裸眼で鑑賞や観戦をしたい状況においては、テンプル４・４を耳から外し、眼鏡型双眼鏡１のループ部分を首に掛けることによって、眼鏡型双眼鏡１が脱落することなく鑑賞等を楽しむことができ、眼鏡型双眼鏡１の重量が耳や目頭に集中しないため、疲労を軽減することができる。
【００３１】
本考案は、概ね上記のように構成されるが、本考案は図示の実施形態に限定されるものではなく、「実用新案登録請求の範囲」の記載内において種々の変更が可能であって、例えば、ヒンジ部はフック型の突起部をブローバーに引っ掛ける構成としてもよい。また、実施例２においてテンプルの素材を柔軟性のある金属材料を用いてもよく、いずれも本考案の技術的範囲に属する。
【符号の説明】
【００３２】
１  眼鏡型双眼鏡
２  フロントパネル
2a  プレート部
2b  接眼部
2c  鏡筒部
2d  調整つまみ
2e  接眼レンズ
2f  対物レンズ
2g  ヒンジ部
2h  溝部
2i  開口部
2j  板ばね
３  ブローバー
3a  軸部
４  テンプル
4a  磁石
５  鼻当部
【図１】
0003226208.tif 000003
【図２】
0003226208.tif 000004
【図３】
0003226208.tif 000005
【図４】
0003226208.tif 000006
【図５】
0003226208.tif 000007
【図６】
0003226208.tif 000008
【手続補正書】
【提出日】令和2年2月28日(2020.2.28)
【手続補正１】
【補正対象書類名】図面
【補正対象項目名】図１
【補正方法】変更
【補正の内容】
【図１】
0003226208.tif 000009